(57)【要約】      （修正有）【課題】自装置から発せられる騒音量を所定レベル以下に抑えることが期待できる画像処理装置を提供する。【解決手段】ＭＦＰ（Ｍｕｌｔｉ  Ｆｕｎｃｔｉｏｎ  Ｐｅｒｉｐｈｅｒａｌ）１００は，印刷部１０と読取部２０とファン６０とを含む複数の動作部を備える。各動作部は，騒音レベルの異なる少なくとも２段階の動作モードを有する。ＮＶＲＡＭ（不揮発性ＲＡＭ）３４には，各動作部の動作モード毎の動作音量が記憶されている。そして，ＣＰＵ３１は，動作部の動作モードの変更を契機に，各動作部ごとに１つの動作音量をＮＶＲＡＭ３４から読み出し，読み出した動作音量の合算値である総騒音量を算出する。さらに，総騒音量が閾値より小さくなるように，各動作部の動作モードを決定する。【選択図】図２
2014221536.tif 000002
【特許請求の範囲】
【請求項１】
騒音レベルが異なる少なくとも２段階の動作モードを有する複数の構成要素と，
前記複数の構成要素のそれぞれの動作モード毎の騒音量を記憶する記憶部と，
制御部と，
を備え，
前記制御部は，
前記複数の構成要素のうち１つの構成要素の動作モードの変更を契機に，前記記憶部に記憶されている各騒音量のうち，前記構成要素ごとに１つの騒音量を前記複数の構成要素について合算した合算値である総騒音量が閾値よりも小さくなるように前記複数の構成要素の動作モードを決定する，
ことを特徴とする画像処理装置。
【請求項２】
請求項１に記載する画像処理装置において，
前記制御部は，
前記複数の構成要素のうち１つの構成要素の動作の開始を契機に，前記複数の構成要素の前記総騒音量が閾値よりも小さくなるように前記１つの構成要素の動作モードを決定する，
ことを特徴とする画像処理装置。
【請求項３】
請求項２に記載する画像処理装置において，
前記制御部は，
前記総騒音量が閾値よりも小さくなる前記１つの構成要素の動作モードを決定できない場合には，前記総騒音量が閾値よりも小さくなるように前記１つの構成要素以外の構成要素の動作モードを変更する，
ことを特徴とする画像処理装置。
【請求項４】
請求項３に記載する画像処理装置において，
前記制御部は，
前記総騒音量が閾値よりも小さくなる前記１つの構成要素の動作モードを決定できない場合であって，前記総騒音量が閾値よりも小さくなるように前記１つの構成要素以外の構成要素の動作モードを変更できない場合には，動作中の構成要素の少なくとも１つの動作の終了を待って前記１つの構成要素の動作を開始させる，
ことを特徴とする画像処理装置。
【請求項５】
請求項２に記載する画像処理装置において，
前記制御部は，
前記総騒音量が閾値よりも小さくなる前記１つの構成要素の動作モードを決定できない場合には，動作中の構成要素の少なくとも１つの動作の終了を待って前記１つの構成要素の動作を開始させる，
ことを特徴とする画像処理装置。
【請求項６】
請求項１から請求項５のいずれか１つに記載する画像処理装置において，
前記複数の構成要素の１つは，装置内に配置された冷却用のファンであり，
前記制御部は，
装置内の温度が所定値より高い場合に，前記ファンを高速稼働状態となる動作モードとし，前記ファンの動作モードが高速稼働状態の動作モードに変更されたことを契機に，前記総騒音量が閾値よりも小さくなるように前記ファン以外の前記構成要素の動作モードを変更する，
ことを特徴とする画像処理装置。
【請求項７】
請求項６に記載する画像処理装置において，
前記制御部は，
前記ファン以外の前記構成要素の動作モードを，前記総騒音量が閾値よりも小さくなる動作モードに変更できなければ，動作中の構成要素のうち前記ファン以外の構成要素の少なくとも１つの動作を中止する，
ことを特徴とする画像処理装置。
【請求項８】
請求項１から請求項７のいずれか１つに記載する画像処理装置において，
前記複数の構成要素のうち，１つは画像を印刷する印刷部であり，他の１つは画像を読み取る読取部であり，
前記制御部は，
前記読取部で読み取った画像を前記印刷部に印刷させるコピー処理を実行する際，
前記読取部で読み取られた後，前記印刷部で印刷される前の画像データが第１所定量より多ければ，前記印刷部を高速稼働状態となる動作モードに変更し，前記総騒音量が閾値よりも小さくなるように前記印刷部以外の前記構成要素の動作モードを変更する，
ことを特徴とする画像処理装置。
【請求項９】
請求項１から請求項８のいずれか１つに記載する画像処理装置において，
前記複数の構成要素のうち，１つは画像を印刷する印刷部であり，他の１つは画像を読み取る読取部であり，
前記制御部は，
前記読取部で読み取った画像を前記印刷部に印刷させるコピー処理を実行する際，
前記読取部で読み取られた後，前記印刷部で印刷される前の画像データが第２所定量より少なければ，前記読取部を高速稼働状態となる動作モードに変更し，前記総騒音量が閾値よりも小さくなるように前記読取部以外の前記構成要素の動作モードを変更する，
ことを特徴とする画像処理装置。
【請求項１０】
請求項１から請求項９のいずれか１つに記載する画像処理装置において，
前記制御部は，
前記複数の構成要素のうちの所定の構成要素を用いる先行ジョブを実行中に，前記所定の構成要素を用いない後続ジョブを受け付けた際，前記先行ジョブと前記後続ジョブとのユーザが同じであれば，前記総騒音量が閾値よりも小さくなるように前記所定の構成要素を含む構成要素の動作モードを変更し，前記先行ジョブと前記後続ジョブとのユーザが同じでなければ，前記総騒音量が閾値よりも小さくなるように前記複数の構成要素のうち前記所定の構成要素を除いた構成要素の動作モードを変更する，
ことを特徴とする画像処理装置。
【発明の詳細な説明】
【技術分野】
【０００１】
本発明は，画像処理機能を有する画像処理装置に関する。さらに詳細には，２段階以上の動作モードで制御可能な構成要素を備える画像処理装置に関するものである。
【背景技術】
【０００２】
従来から，騒音を抑える動作モードである静音モードを備える画像処理装置がある。この静音モードを備える画像処理装置は，２段階以上の速度で制御可能な構成要素を備え，画像処理動作の速度を遅くすることにより，構成要素から発せられる騒音の低減を実現している。
【０００３】
前述した静音モードを備える画像処理装置を開示した技術文献としては，例えば特許文献１がある。特許文献１では，キャリッジの移動速度や記録ヘッドの吐出周波数を低下させた静粛モード（静音モード）を有する記録装置であって，記録データを受信した時刻が深夜時間帯等の特定の時間であれば，当該記録データを静粛モードで記録する技術が開示されている。
【先行技術文献】
【特許文献】
【０００４】
【特許文献１】特開２００３−１８２１９０号公報
【発明の概要】
【発明が解決しようとする課題】
【０００５】
しかしながら，前記した従来の技術には，次のような問題があった。すなわち，静音モードでの動作は，自装置の構成要素個々に騒音を抑える制御は行われるが，複数の構成要素が同時に動作する画像処理を実行する場合，構成要素個々に騒音を抑えたとしても，自装置から発せられる騒音量が目標レベルにならないこともある。
【０００６】
本発明は，前記した従来の技術が有する問題点を解決するためになされたものである。すなわちその課題とするところは，自装置から発せられる騒音量を所定レベル以下に抑えることが期待できる画像処理装置を提供することにある。
【課題を解決するための手段】
【０００７】
この課題の解決を目的としてなされた画像処理装置は，騒音レベルが異なる少なくとも２段階の動作モードを有する複数の構成要素と，前記複数の構成要素のそれぞれの動作モード毎の騒音量を記憶する記憶部と，制御部とを備え，前記制御部は，前記複数の構成要素のうち１つの構成要素の動作モードの変更を契機に，前記記憶部に記憶されている各騒音量のうち，前記構成要素ごとに１つの騒音量を前記複数の構成要素について合算した合算値である総騒音量が閾値よりも小さくなるように前記複数の構成要素の動作モードを決定することを特徴としている。
【０００８】
本明細書に開示される画像処理装置は，複数の構成要素を備える。各構成要素は，騒音レベルの異なる少なくとも２段階の動作モードを有する。各構成要素の動作モード毎の騒音量は，記憶部に記憶されている。画像処理装置の制御部は，総騒音量として，構成要素ごとに１つの騒音量を複数の構成要素について合算した合算値を取得する。そして，構成要素の１つの動作モードが変更された際には，総騒音量が閾値より小さくなるように，各構成要素の動作モードを決定する。なお，構成要素には，例えば，印刷部，読取部，冷却用のファンが該当する。また，騒音レベルが異なる動作モードとしては，例えば，稼働速度が異なる状態が該当する。具体例としては，全速モード，中速モード，低速モード，停止モードが該当する。あるいは，全速モードと停止モードとの２つのモードのみを有する構成要素を含んでもよい。また，動作モードの変更としては，例えば，動作の開始，動作の停止，動作速度の変更が該当する。また，記憶される騒音量は，各構成要素から発せられる音を数値化したものであり，例えば事前に騒音計を用いて測定した実測値であってもよいし，設計から想定される仮想値であってもよい。
【０００９】
本明細書に開示される画像処理装置によれば，１つの構成要素の動作モードの変更を契機に，当該１つの構成要素の騒音量とそれ以外の構成要素の騒音量との合算値である総騒音量に基づいて，複数の構成要素の動作モードを決定する。すなわち，１つの構成要素の動作モードを変更するに当たって，他の構成要素をも含めて，総騒音量が閾値より小さくなるように動作モードを決定する。従って，自装置から発せられる合計の騒音量を，目標レベル以下に抑えることが期待できる。
【００１０】
また，前記制御部は，前記複数の構成要素のうち１つの構成要素の動作の開始を契機に，前記複数の構成要素の前記総騒音量が閾値よりも小さくなるように前記１つの構成要素の動作モードを決定してもよい。１つの構成要素の動作の開始により，その１つの構成要素から発せられる騒音も開始する。そこで，動作の開始を契機に，開始する構成要素の動作モードを，総騒音量が閾値より小さくなる範囲内で決定することにより，既に動作中の構成要素の動作に影響を与えることなく，総騒音量を抑えることが期待できる。従って，既に動作中の構成要素の動作モードを変更するための処理時間の増加や，使用電力の増加を抑制して，総騒音量を抑えることが期待できる。
【００１１】
また，前記制御部は，前記総騒音量が閾値よりも小さくなる前記１つの構成要素の動作モードを決定できない場合には，前記総騒音量が閾値よりも小さくなるように前記１つの構成要素以外の構成要素の動作モードを変更してもよい。動作を開始する構成要素の調整だけで総騒音量を抑えられない場合，他の構成要素の動作モードを変更することで総騒音量を抑えられるならば，当該他の構成要素の動作モードを変更して，前記１つの構成要素の動作を開始させる。このようにすれば，各構成要素の動作を維持しつつ，総騒音量を抑えることが期待できる。
【００１２】
また，前記制御部は，前記総騒音量が閾値よりも小さくなる前記１つの構成要素の動作モードを決定できない場合であって，前記総騒音量が閾値よりも小さくなるように前記１つの構成要素以外の構成要素の動作モードを変更できない場合には，動作中の構成要素の少なくとも１つの動作の終了を待って前記１つの構成要素の動作を開始させてもよい。動作を開始する構成要素の動作モードと，他の構成要素の動作モードとの調整によっても総騒音量を抑えられない場合，他の構成要素の動作の終了を待って，前記１つの構成要素の動作を開始させる方が，総騒音量を抑える上で好ましい。
【００１３】
また，前記制御部は，前記総騒音量が閾値よりも小さくなる前記１つの構成要素の動作モードを決定できない場合には，動作中の構成要素の少なくとも１つの動作の終了を待って前記１つの構成要素の動作を開始させてもよい。動作を開始する構成要素の動作モードの調整だけによって総騒音量を抑えられない場合，他の構成要素の動作の終了を待って，前記１つの構成要素の動作を開始させても，総騒音量を抑える上で好ましい。
【００１４】
また，前記複数の構成要素の１つは，装置内に配置された冷却用のファンであり，前記制御部は，装置内の温度が所定値より高い場合に，前記ファンを高速稼働状態となる動作モードとし，前記ファンの動作モードが高速稼働状態の動作モードに変更されたことを契機に，前記総騒音量が閾値よりも小さくなるように前記ファン以外の前記構成要素の動作モードを変更してもよい。冷却用のファンの高速稼働状態の動作モードへの変更は，装置の故障等の重大なエラーを回避する上で優先度が高い。そのため，ファンの動作モードを変更しつつファン以外の構成要素の動作モードを変更することで，重大なエラーと装置全体としての騒音拡大との両方を抑制することが期待できる。
【００１５】
また，前記制御部は，前記ファン以外の前記構成要素の動作モードを，前記総騒音量が閾値よりも小さくなる動作モードに変更できなければ，動作中の構成要素のうち前記ファン以外の構成要素の少なくとも１つの動作を中止してもよい。他の構成要素の動作モードの変更で対応できなければ，他の構成要素の少なくとも１つの動作を中止して騒音を抑える方が好ましい。
【００１６】
また，前記複数の構成要素のうち，１つは画像を印刷する印刷部であり，他の１つは画像を読み取る読取部であり，前記制御部は，前記読取部で読み取った画像を前記印刷部に印刷させるコピー処理を実行する際，前記読取部で読み取られた後，前記印刷部で印刷される前の画像データが第１所定量より多ければ，前記印刷部を高速稼働状態となる動作モードに変更し，前記総騒音量が閾値よりも小さくなるように前記印刷部以外の前記構成要素の動作モードを変更してもよい。コピー処理の際，印刷前の画像データが多い，すなわち印刷処理が読取処理と比較して遅れている場合，総騒音量が閾値を超えない範囲で印刷部を高速化する方が，メモリオーバーフロー等の読み取り側のエラーの抑制が期待できる。一方で，印刷部を高速化すると騒音量が上昇するため，他の構成要素（例えば読取部）の騒音量を抑えることで装置全体としての騒音量を抑えることができる。
【００１７】
また，前記複数の構成要素のうち，１つは画像を印刷する印刷部であり，他の１つは画像を読み取る読取部であり，前記制御部は，前記読取部で読み取った画像を前記印刷部に印刷させるコピー処理を実行する際，前記読取部で読み取られた後，前記印刷部で印刷される前の画像データが第２所定量より少なければ，前記読取部を高速稼働状態となる動作モードに変更し，前記総騒音量が閾値よりも小さくなるように前記読取部以外の前記構成要素の動作モードを変更してもよい。コピー処理の際，印刷前の画像データが少ない，すなわち読取処理が印刷処理と比較して遅れている場合，総騒音量が閾値を超えない範囲で読取部を高速化する方が，間欠印刷等の印刷側のエラーの抑制が期待できる。一方で，読取部を高速化すると騒音量が上昇するため，他の構成要素（例えば印刷部）の騒音量を抑えることで装置全体としての騒音量を抑えることができる。
【００１８】
また，前記制御部は，前記複数の構成要素のうちの所定の構成要素を用いる先行ジョブを実行中に，前記所定の構成要素を用いない後続ジョブを受け付けた際，前記先行ジョブと前記後続ジョブとのユーザが同じであれば，前記総騒音量が閾値よりも小さくなるように前記所定の構成要素を含む構成要素の動作モードを変更し，前記先行ジョブと前記後続ジョブとのユーザが同じでなければ，前記総騒音量が閾値よりも小さくなるように前記複数の構成要素のうち前記所定の構成要素を除いた構成要素の動作モードを変更してもよい。先行ジョブと後続ジョブとで異なるユーザであれば，先行ジョブのユーザを優先して先行ジョブに影響の少ない構成要素の動作モードを変更する方が好ましい。一方，先行ジョブと後続ジョブとで同じユーザであれば，動作中の構成要素を含めて後続ジョブの完了までの生産性が下がり難い変更を行う方が好ましい。
【発明の効果】
【００１９】
本発明によれば，自装置から発せられる騒音量を所定レベル以下に抑えることが期待できる画像処理装置が実現される。
【図面の簡単な説明】
【００２０】
【図１】実施の形態に係るＭＦＰの概略構成を示す断面図である。
【図２】ＭＦＰの電気的構成を示すブロック図である。
【図３】動作音量表を示す説明図である。
【図４】優先度表を示す説明図である。
【図５】静粛動作処理の手順を示すフローチャートである。
【図６】動作モード変更処理の手順を示すフローチャートである。
【図７】静粛コピー処理の手順を示すフローチャートである。
【図８】高速化コピー処理の手順を示すフローチャートである。
【図９】ユーザ判別処理の手順を示すフローチャートである。
【発明を実施するための形態】
【００２１】
以下，本発明にかかる画像形成装置を具体化した実施の形態について，添付図面を参照しつつ詳細に説明する。本形態は，画像形成機能を備えた複合機（ＭＦＰ：Ｍｕｌｔｉ  Ｆｕｎｃｔｉｏｎ  Ｐｅｒｉｐｈｅｒａｌ）に本発明を適用したものである。
【００２２】
［ＭＦＰの構成］
本形態のＭＦＰ１００は，図１に示すように，シートに画像を印刷する印刷部１０と，原稿の画像を読み取る読取部２０と，動作状況の表示やユーザによる入力操作の受付を行う操作パネル４０とを備えている。操作パネル４０は，液晶ディスプレイおよびスタートキー，ストップキー，テンキー等から構成されるボタン群とを備え，ユーザによる指示入力を受け付ける。
【００２３】
印刷部１０は，シートを搬送する搬送ベルト７と，給紙トレイ１２と，排紙トレイ１３とを有している。また，シートの経路として，給紙トレイ１２から，搬送ベルト７を経由して，排紙トレイ１３に至る搬送路１１（図１中の一点鎖線）が形成されている。
【００２４】
さらに，印刷部１０は，電子写真方式によりシートにトナー像を形成するプロセス部５０と，シート上の未定着のトナー像をシートに定着させる定着部５８とを有している。プロセス部５０は，イエロー（Ｙ），マゼンタ（Ｍ），シアン（Ｃ），ブラック（Ｋ）の色ごとにそれぞれ，感光体５１，帯電部５２，露光部５３，現像部５４，転写部５５を有している。プロセス部５０の各構成は，既知の各種のものを使用すればよく，詳細な説明は省略する。
【００２５】
定着部５８は，トナー像が載置されているシートを加熱および加圧することにより，シートに画像を定着させるものである。定着部５８にて発生する熱によって，機内の温度が限度を超えて上昇することは好ましくない。そのため，ＭＦＰ１００は，機内の熱を外部に放出するためのファン６０を有している。
【００２６】
読取部２０は，光学的に画像を読み取るためのイメージセンサ２２と，コンタクトガラス２３と，ＡＤＦ（自動原稿搬送装置）２４とを有している。イメージセンサ２２は，光学素子が紙面に直交する方向に並んで配置されている。読取部２０は，画像が形成されている原稿シートとイメージセンサ２２とを相対的に移動させ，画像を１ラインずつ読み取る。ＭＦＰ１００では，相対的な移動方式として，原稿シートを固定してイメージセンサ２２を移動させる方式と，イメージセンサ２２を固定して原稿シートをＡＤＦ２４によって移動させる方式とを有している。
【００２７】
［ＭＦＰの電気的構成］
続いて，ＭＦＰ１００の電気的構成について説明する。ＭＦＰ１００は，図２に示すように，ＣＰＵ３１と，ＲＯＭ３２と，ＲＡＭ３３と，ＮＶＲＡＭ（不揮発性ＲＡＭ）３４と，ＡＳＩＣ３５とを含むコントローラ３０を備えている。また，ＭＦＰ１００は，前述したように，印刷部１０と，読取部２０と，操作パネル４０と，ファン６０とを備え，これらがコントローラ３０に電気的に接続されている。
【００２８】
ＲＯＭ３２には，ＭＦＰ１００を制御するための各種制御プログラムや各種設定，初期値等が記憶されている。ＲＡＭ３３は，各種制御プログラムが読み出される作業領域として，あるいは，画像データ等のデータを一時的に記憶する記憶領域として利用される。
【００２９】
ＣＰＵ３１は，ＲＯＭ３２から読み出した制御プログラムに従って，その処理結果をＲＡＭ３３またはＮＶＲＡＭ３４に記憶させながら，ＭＦＰ１００の各構成要素を制御する。また，ＣＰＵ３１は，後述の各動作部の動作速度を決定する処理を行う。ＣＰＵ３１は，制御部の一例である。なお，図２中のコントローラ３０は，ＣＰＵ等，プリンタの制御に利用されるハードウェアを纏めた総称であって，実際にプリンタに存在する単一のハードウェアを表すとは限らない。コントローラ３０が制御部であってもよいし，ＡＳＩＣ３５が制御部であってもよい。
【００３０】
［動作音］
印刷部１０，読取部２０，ファン６０の各動作部は，いずれもモータの駆動による回転部材を含む。そのため，各動作部の動作により，動作音が発生する。本形態のＭＦＰ１００は，印刷部１０と読取部２０とについて，動作速度の異なるそれぞれ４種類の動作モードを有している。また，ファン６０は，動作速度の異なる３種類の動作モードを有している。そして，そのそれぞれの動作モード毎に動作音の音量は異なる。
【００３１】
ＭＦＰ１００のＮＶＲＡＭ３４には，図３に示すように，動作音量表７０が記憶されている。この例の動作音量表７０には，印刷部１０，読取部２０，ファン６０の動作部ごとの，動作モードと動作音量との関係が記憶されている。動作音量の単位は「ｄＢ」である。なお，動作音量表７０に記憶されている各数値は，実験等によって実測した各動作部の動作音量に基づいて，予め決めて記憶されている。動作音量表７０が記憶されているＮＶＲＡＭ３４は，記憶部の一例である。
【００３２】
図３に示すように，本形態では，動作モードとして，動作速度の異なる動作状態のみでなく，動作を停止させている停止モードも含む。停止モード中の動作部は動作しないため，動作音量は０ｄＢである。そして，停止モード以外に，印刷部１０と読取部２０とは，それぞれ，全速モードと中速モードと低速モードを有している。また，ファン６０は，回転速度を全速モードと中速モードとの２段階に調節可能である。つまり，動作音量表７０中の「−」は，その動作モードが無いことを意味している。
【００３３】
いずれの動作部についても，各動作部から発生する動作音の音量は，動作速度に依存する。つまり，動作速度が速い動作モードで動作しているときほど，図３中の上段側に示され，動作音量は大きい。いずれの動作部も，全速モードが高速稼働状態の動作モードに相当する。
【００３４】
すなわち，印刷部１０と読取部２０とは，騒音レベルの異なる４段階の動作モードを有する構成要素の一例である。ファン６０は，騒音レベルの異なる３段階の動作モードを有する構成要素の一例である。このほかに，全速モードと停止モードとの２段階のみの動作モードを有する構成要素があってもよい。
【００３５】
そして，本形態のＭＦＰ１００では，各動作部の動作音の合算値である総騒音量が，予め決めた閾値より小さくなるように，各動作部の動作モードを決定する。総騒音量の閾値は，工場出荷時に予め設定されていてもよいし，ユーザの設定によってもよい。また，昼間と夜間とで異なる値が設定されてもよい。
【００３６】
例えば，図３の例では，印刷部１０，読取部２０，ファン６０の各動作部をいずれも全速で動作させると，総騒音量は，印刷部１０による音量４０ｄＢ，読取部２０による音量２０ｄＢ，ファン６０による音量１０ｄＢの合算値であり，およそ７０ｄＢである。動作部のいずれかの動作モードを変更して動作速度を低下させれば，それに応じて総騒音量は低下する。
【００３７】
［動作部の優先順］
ＭＦＰ１００では，印刷部１０，読取部２０，ファン６０のうち，同時に動作させる各動作部の動作音量の合算値である総騒音量が予め決めた閾値より小さくなるように，各動作部の動作モードを決定する。この決定に際し，ＭＦＰ１００では，各動作部の間で，速い速度での動作を他の動作部より優先的に許容する順である優先順が設定されている。優先順は，図４に示す優先度表７２として，ＮＶＲＡＭ３４に記憶されている。
【００３８】
図４に示すように，本形態のＭＦＰ１００では，ファン６０の動作を最も優先し，印刷部１０の動作を次に優先する。ファン６０を優先することで，機内の温度が上がりすぎることを抑制し，動作の不調の回避が期待できる。
【００３９】
なお，印刷部１０が動作していない状態から動作を開始する場合に，ファン６０が動作していないならば，ファン６０も同時に動作を開始する。印刷部１０の動作を開始すると，前述したように，定着部５８において熱を発生するため，ファン６０を動作させる必要があるからである。印刷部１０の動作開始時には，機内の温度は高くないと予測できるので，ファン６０の動作開始時の動作モードは中速モードである。
【００４０】
ＭＦＰ１００は，印刷部１０の動作を継続し，機内の温度が予め決めた所定温度を超えて上昇すると，ファン６０を中速モードから全速モードに変更する。つまり，ファン６０の動作モードは，総騒音量の大きさに関わらず，機内温度と印刷部１０の動作の有無によって，優先的に決定される。
【００４１】
［印刷部と読取部との優先順］
続いて，印刷部１０と読取部２０との動作モードの優先順について説明する。印刷部１０と読取部２０との動作モードは，ファン６０の動作モードが決定した後に決定される。つまり，優先的に動作モードが決定されるファン６０の動作音量と，印刷部１０と読取部２０との動作音量とを合算した総騒音量が，閾値より小さくなるように，印刷部１０と読取部２０との動作モードを決定する。例えば，ファン６０の動作モードの変更により，総騒音量が閾値以上となると判断したら，印刷部１０と読取部２０との少なくとも一方の動作モードをより低速に変更する。
【００４２】
動作モードの変更にあたり，まず，印刷部１０と読取部２０とのうち，一方の動作モードを維持して，他方の動作モードを速度低下するように変更する。ここで，動作モードを維持する動作部が優先順の高い動作部であり，動作モードを変更する動作部が優先順の低い動作部である。そして，印刷部１０と読取部２０との優先順は，優先度表７２に基づくものに限らず，各種の条件に応じて決定される。
【００４３】
例えば，印刷部１０の動作と読取部２０の動作とがそれぞれ別のジョブであり，独立に速度を決定できる場合には，前述した優先度表７２の順に従う。例えば，印刷部１０，読取部２０，ファン６０の全てが動作している状態で，機内の温度が上昇して，ファン６０の動作を中速モードから全速モードに変更する必要が生じた場合には，まず，ファン６０の動作モードの変更を最優先する。その上で，ファン６０の動作モードの変更後における総騒音量が閾値以上とならないように，優先順の低い読取部２０から先に動作速度を低下させる。
【００４４】
また，例えば，既にいずれかの動作部が動作をしている状態で，新たに別の動作部の動作を開始する場合には，既に動作している動作部の動作モードを優先的に維持して，後から動作を開始する動作部の動作モードを決定する。例えば，ＰＣプリントを実行している状態で，スキャン動作を開始する場合には，総騒音量が閾値を超えないように，読取部２０の動作モードを決定する。一方，スキャン動作を実行している状態で，ＰＣプリントの動作を開始する場合には，総騒音量が閾値を超えないように，印刷部１０の動作モードを決定する。この場合は，先に動作している動作部の優先順が，後から動作を開始する動作部の優先順より高い。
【００４５】
一方，コピー動作のように，印刷部１０の動作と読取部２０の動作とが連動するジョブであって，いずれかを独立に優先することができない場合には，コピー処理全体としての早期の終了を図る。つまり，印刷部１０と読取部２０との優先順は，他の条件によって異なる。この場合には，前述の２パターンとは異なり，予め優先順が決定されない。以下では，予め優先順が決定される場合の処理である静粛動作処理と，予め優先順が決定されていない場合の処理である静粛コピー処理とを，それぞれ別に説明する。
【００４６】
［静粛動作処理］
続いて，前述したように，総騒音量が閾値を超えないように各動作部を動作させる静粛動作処理の手順について，図５のフローチャートを参照しつつ説明する。この静粛動作処理は，印刷部１０と読取部２０とファン６０のうち，少なくとも１つの動作モードを変更することを契機にＣＰＵ３１によって実行される。具体的には，この静粛動作処理は，印刷部１０と読取部２０とのうち，動作していない動作部の動作要求を受けたことを契機に実行される。例えば，印刷実行していない状態で印刷指示を受けた場合，印刷のみを実行中に読み取り開始の指示を受けた場合が該当する。あるいは，機内温度が所定温度を超えて，ファン６０の動作モードを変更する必要が生じたことを契機に実行される。
【００４７】
静粛動作処理では，先ず，印刷部１０，読取部２０，ファン６０のそれぞれの動作モードを取得する（Ｓ１０１）。既に動作している動作部については，動作中の動作モードを取得する。動作していない動作部であって，動作を開始する動作部については，動作開始時の初期設定として設定されている動作モードを取得する。初期設定は，例えば，全速モードである。
【００４８】
Ｓ１０１にて取得した動作モードに基づいて，印刷部１０，読取部２０，ファン６０のそれぞれの動作音量を取得する（Ｓ１０２）。動作音量は，動作モードに基づいて，ＮＶＲＡＭ３４の動作音量表７０（図３参照）から読み出される。さらに，Ｓ１０２にて取得した各動作部の動作音量を合算し，総騒音量を取得する（Ｓ１０３）。
【００４９】
そして，Ｓ１０３で取得した総騒音量が，予め決めた閾値より小さいか否かを判断する（Ｓ１０４）。総騒音量が閾値より小さいと判断した場合は（Ｓ１０４：Ｙｅｓ），Ｓ１０１にて取得した動作モードでの動作を実行する（Ｓ１０５）。すなわち，既に動作している動作部は，そのまま動作を継続する。新たに動作開始が指示された動作部は，初期設定とされている動作モードで動作を開始する。
【００５０】
一方，総騒音量が閾値より小さくないと判断した場合には（Ｓ１０４：Ｎｏ），動作モード変更処理を実行する（Ｓ１１１）。つまり，印刷部１０と読取部２０との少なくとも一方の動作モードを，現状の設定より低速のモードに変更し，総騒音量が閾値を超えないようにする。
【００５１】
Ｓ１１１の動作モード変更処理の手順を，図６のフローチャートを参照して説明する。この動作モード変更処理では，印刷部１０と読取部２０とのうちの一方の動作モードを先ず変更し，それでも総騒音量が大きい場合には他方の動作モードをも変更する。この優先順は，この処理が開始される時点で決定している。図６および以下の説明では，先に変更する方を第１動作部，他方を第２動作部とする。つまり，動作の優先順が低い方が第１動作部であり，動作の優先順が高い方が第２動作部である。
【００５２】
本処理において，第１動作部と第２動作部とは，以下のように決定される。動作モード変更処理の開始時に両方とも動作中であれば，読取部２０が第１動作部であり，印刷部１０が第２動作部である。また，一方のみが動作中であり，他方の動作を開始する場合には，動作開始させる動作部が第１動作部であり，既に動作中の動作部が第２動作部である。動作開始させる動作部の動作モードは，初期設定とする。初期設定は，例えば，全速モードである。なお，片方の動作部のみを使用する場合は，動作させる動作部を第１動作部とする。
【００５３】
まず，第１動作部について，現状の設定よりさらに低速化が可能であるか否かを判断する（Ｓ２０１）。すなわち，第１動作部を停止モード以外の動作モードに変更できるか否かを判断する。第１動作部が全速モードまたは中速モードであれば，低速化が可能である。そこで，第１動作部の低速化が可能であると判断したら（Ｓ２０１：Ｙｅｓ），第１動作部の動作モードを１段階低速化させる（Ｓ２０２）。
【００５４】
Ｓ２０２で低速化した動作モードにおける各動作部の動作音量を合計し，総騒音量を取得する（Ｓ２０３）。そして，総騒音量が閾値より小さいか否かを判断する（Ｓ２０４）。総騒音量が閾値より小さいと判断したら（Ｓ２０４：Ｙｅｓ），第１動作部の動作モードを，Ｓ２０２にて低速化した動作モードに決定し（Ｓ２０５），動作モード変更処理を終了する。
【００５５】
Ｓ２０４にて，総騒音量が閾値より小さくないと判断したら（Ｓ２０４：Ｎｏ），Ｓ２０１に戻り，第１動作部をさらに低速化できるか否かを判断する。第１動作部の元の動作モードが全速モードであれば，１回目の低速化で中速モードとなり，もう１段階の低速化が可能である。さらなる低速化可能であると判断した場合には（Ｓ２０１：Ｙｅｓ），Ｓ２０２〜Ｓ２０４を再び実行する。
【００５６】
一方，第１動作部が低速モードであり，これ以上の低速化は不可能であると判断した場合には（Ｓ２０１：Ｎｏ），第１動作部の動作モードを低速モードに一旦決定した上で，次に，第２動作部の低速化を図る。そのために，第２動作部について，現状よりさらに低速化が可能であるか否かを判断する（Ｓ２０６）。すなわち，第２動作部を停止モード以外の動作モードに変更できるか否かを判断する。第２動作部の低速化が可能であると判断したら（Ｓ２０６：Ｙｅｓ），第２動作部の動作モードを１段階低速化させる（Ｓ２０７）。
【００５７】
そして，総騒音量を取得し（Ｓ２０８），取得した総騒音量が閾値より小さいか否かを判断する（Ｓ２０９）。総騒音量が閾値より小さいと判断したら（Ｓ２０９：Ｙｅｓ），第２動作部の動作モードを，Ｓ２０７にて低速化した動作モードに決定し（Ｓ２０５），動作モード変更処理を終了する。
【００５８】
Ｓ２０９にて，総騒音量が閾値より小さくないと判断したら（Ｓ２０９：Ｎｏ），Ｓ２０６に戻り，第２動作部をさらに低速化できるか否かを判断する。第２動作部をさらに低速化可能であると判断した場合には（Ｓ２０６：Ｙｅｓ），Ｓ２０７〜Ｓ２０９を再び実行する。
【００５９】
一方，第２動作部が低速モードであり，これ以上の低速化は不可能であると判断した場合には（Ｓ２０６：Ｎｏ），次に，第１動作部を停止モードに決定する（Ｓ２１０）。つまり，第１動作部が動作中であれば，第１動作部を停止させる。第１動作部が動作開始前であれば，第１動作部の動作を開始しないこととする。
【００６０】
その上で，第２動作部を仮に全速モードとした場合の総騒音量を取得する（Ｓ２１１）。Ｓ２１１にて取得した総騒音量が閾値より小さいか否かを判断する（Ｓ２１２）。総騒音量が閾値より小さいと判断したら（Ｓ２１２：Ｙｅｓ），第２動作部の動作モードを全速モードとして（Ｓ２１３），動作モード変更処理を終了する。
【００６１】
Ｓ２１１にて取得した総騒音量が閾値より小さくないと判断したら（Ｓ２１２：Ｎｏ），総騒音量が閾値より小さくなるまで第２動作部の動作モードを低速化する（Ｓ２０６〜Ｓ２０９）。第１動作部を停止させているので，第２動作部の動作モードを低下させれば，必ず総騒音量が閾値より小さくなる。そうしたら，動作モードを決定して（Ｓ２０５），動作モード変更処理を終了する。
【００６２】
図５に戻り，Ｓ１１１の動作モード変更処理によって各動作部の動作モードが決定したので，決定した動作モードで，各動作部を動作させる（Ｓ１０５）。
【００６３】
Ｓ１０５の後，印刷部１０または読取部２０の少なくとも一方において，指示されたすべての動作を終了したか否かを判断する（Ｓ１０６）。例えば，印刷が指示されている場合には，印刷処理が完了したか否かを判断する。終了していないと判断した場合は（Ｓ１０６：Ｎｏ），機内温度が所定温度を超えているか否かを判断する（Ｓ１０７）。超えていないと判断した場合は（Ｓ１０７：Ｎｏ），さらに動作を継続する。
【００６４】
一方，機内温度が所定温度を超えていると判断した場合は（Ｓ１０７：Ｙｅｓ），ファン６０を中速モードから全速モードに変更する（Ｓ１０８）。既に全速モードで動作している場合は，そのまま全速モードで動作させる。その上でＳ１０２に戻り，総騒音量を取得して，総騒音量が閾値より小さいか否かを判断する。例えば，ファン６０を全速モードに変更した場合には，ファン６０による音量が大きくなっているので，総騒音量を再び確認するとよい。
【００６５】
また，印刷部１０または読取部２０の指示された動作を終了したと判断した場合は（Ｓ１０６：Ｙｅｓ），指示を受けた全動作を終了したか否かを判断する（Ｓ１０９）。指示された動作の全てを終了したと判断したら（Ｓ１０９：Ｙｅｓ），静粛動作処理を終了する。
【００６６】
一方，全動作を終了していないと判断したら（Ｓ１０９：Ｎｏ），動作の終了していない動作部の動作モードを全速モードとする（Ｓ１１０）。一方のみの動作となったことにより，残りの動作部の速度を高速化できる可能性がある。動作の終了した動作部は停止モードとなり，動作音が０ｄＢとなるからである。さらに，Ｓ１０２に戻って，総騒音量を再び確認する。
【００６７】
このようにすれば，各動作部の動作音量の合計，すなわち総騒音量が，予め決めた閾値を超えないように，各動作部の動作モードが選択される。各動作部の各動作モードでの動作音量は，予め取得してＮＶＲＡＭ３４の動作音量表７０に記憶されている。従って，動作変更後の総騒音量を予測できるので，総騒音量が閾値を超えないように，各動作部を制御できる可能性が高い。
【００６８】
［静粛コピー処理］
続いて，予め優先順が決定されない場合の処理である静粛コピー処理の手順について，図７のフローチャートを参照しつつ説明する。例えば，総騒音量が閾値を超えないようにコピー処理を実行するための処理である。コピー処理では，原稿を読取部２０で読み取って画像データを取得し，取得した画像データに基づいて印刷部１０にて印刷させる。そのため，印刷部１０と読取部２０との動作は連動しており，いずれかを予め決めて優先させることができない。例えば，印刷部１０の動作を読取部２０の動作より優先させて，先に終了させることは不可能である。
【００６９】
本処理では，読み込み済みであって印刷終了前の画像データの量に基づいて，優先順を決定する。以下では，優先順の高い方を第３動作部，優先順の低い方を第４動作部とする。なお，本処理では，総騒音量が閾値を超えない範囲で，印刷部１０と読取部２０とのうち優先順の高い方を，高速化する手順も含む。つまり，一方を低速化しつつ他方を高速化することにより，総騒音量を大きくすることなく，処理の終了を早めることが期待できる。
【００７０】
静粛コピー処理を開始すると，まず，印刷部１０，読取部２０，ファン６０のそれぞれの動作開始時の初期設定として設定されている動作モードを，各動作部の動作モードとして，各動作部の動作を開始する（Ｓ３０１）。Ｓ３０１では，予め総騒音量が閾値を超えないように，各部の動作モードが決定されている。さらに，コピーが終了したか否かを判断する（Ｓ３０２）。コピーが終了したと判断したら（Ｓ３０２：Ｙｅｓ），静粛コピー処理を終了する。
【００７１】
コピーが終了していないと判断した場合は（Ｓ３０２：Ｎｏ），ＲＡＭ３３に記憶されている画像データの量が，予め決めた第１所定量より多いか否かを判断する（Ｓ３０３）。読取部２０によって読み取った画像データは，一旦ＲＡＭ３３に記憶される。そして，ＲＡＭ３３に記憶された画像データは，印刷部１０による印刷が終了した部分から順に，削除される。つまり，ＲＡＭ３３に記憶されている画像データの量が第１所定量より多いことは，読取部２０の動作速度に比較して印刷部１０の動作速度が遅いことを意味している。
【００７２】
そこで，画像データの量が第１所定量より多い場合には（Ｓ３０３：Ｙｅｓ），印刷部１０の動作モードを高速化できるか否かを判断する（Ｓ３０４）。既に全速モードで動作している場合は，高速化できないので（Ｓ３０４：Ｎｏ），そのままの動作モードで動作を継続し，コピーが終了するまで動作する。
【００７３】
印刷部１０を現状より高速化することが可能であると判断した場合には（Ｓ３０４：Ｙｅｓ），コピー処理を高速化できる可能性がある。そのために，印刷部１０を優先順の高い第３動作部，読取部２０を優先順の低い第４動作部として（Ｓ３０５），高速化コピー処理を実行する（Ｓ３０６）。高速化コピー処理については後述する。
【００７４】
一方，ＲＡＭ３３に記憶されている画像データの量が，第１所定量より多くない場合には（Ｓ３０３：Ｎｏ），画像データの量が，予め決めた第２所定量より少ないか否かを判断する（Ｓ３０７）。第２所定量は，第１所定量より少ない量である。そして，ＲＡＭ３３に記憶されている画像データの量が第２所定量より少ないことは，印刷部１０の動作速度に比較して読取部２０の動作速度が遅いことを意味している。
【００７５】
そこで，画像データの量が第２所定量より少ない場合には（Ｓ３０７：Ｙｅｓ），読取部２０の動作モードを高速化できるか否かを判断する（Ｓ３０８）。既に全速モードで動作している場合は，高速化できないので（Ｓ３０８：Ｎｏ），そのままの動作モードで動作を継続し，コピーが終了するまで動作する。
【００７６】
なお，画像データの量が第２所定量より少なくない場合には（Ｓ３０７：Ｎｏ），印刷部１０の動作速度と読取部２０の動作速度とがおよそ釣り合っていることを意味している。この場合には，Ｓ３０２に移行し，そのままの動作モードで動作を継続する。
【００７７】
一方，読取部２０を高速化可能であると判断した場合には（Ｓ３０８：Ｙｅｓ），コピー処理を高速化できる可能性がある。そのために，読取部２０を優先順の高い第３動作部，印刷部１０を優先順の低い第４動作部として（Ｓ３０９），高速化コピー処理を実行する（Ｓ３０６）。
【００７８】
次に，Ｓ３０６の高速化コピー処理の手順について，図８のフローチャートを参照しつつ説明する。まず，第３動作部とした動作部を１段階高速化に設定する（Ｓ４０１）。つまり，図７の静粛コピー処理において，Ｓ３０５を経て高速化コピー処理を実行する場合には，印刷部１０を高速化する。Ｓ３０９を経ている場合は，読取部２０を高速化する。この段階では仮に設定するだけであり，実際に高速化して動作させるわけではない。
【００７９】
そして，Ｓ４０１による高速化後の総騒音量を取得する（Ｓ４０２）。さらに，Ｓ４０２で取得した総騒音量が閾値より小さいか否かを判断する（Ｓ４０３）。閾値より小さいと判断した場合には（Ｓ４０３：Ｙｅｓ），仮に設定した内容を各動作部の動作モードに決定して，決定した動作モードで各動作部を動作させる（Ｓ４０４）。そして，高速化コピー処理を終了して，図７の静粛コピー処理に戻る。
【００８０】
一方，総騒音量が閾値より小さくはないと判断したら（Ｓ４０３：Ｎｏ），第４動作部を低速化が可能か否かを判断する（Ｓ４０５）。つまり，図７の静粛コピー処理において，Ｓ３０５を経て高速化コピー処理を実行している場合には，読取部２０を低速化可能であるかを判断する。Ｓ３０９を経ている場合は，印刷部１０を低速化可能であるかを判断する。
【００８１】
第４動作部が全速モードまたは中速モードであり，さらなる低速化が可能であると判断した場合には（Ｓ４０５：Ｙｅｓ），第４動作部を１段階低速化する（Ｓ４０６）。一方，第４動作部をこれ以上低速化できないと判断した場合には（Ｓ４０５：Ｎｏ），第４動作部を停止モードに設定する（Ｓ４０７）。そして，Ｓ４０６またはＳ４０７の後，Ｓ４０２に戻って，総騒音量を取得する。
【００８２】
総騒音量が閾値より小さくなったら（Ｓ４０３：Ｙｅｓ），現在の設定に各動作部の動作モードを決定して，決定した動作モードで各動作部を動作させる（Ｓ４０４）。そして，高速化コピー処理を終了して，図７の静粛コピー処理に戻る。そして，画像データの量を監視しつつ，コピーが終了するまで動作を継続する。すべてのコピーが終了したら，静粛コピー処理を終了する。
【００８３】
静粛コピー処理によれば，総騒音量が予め決めた閾値を超えないように，各動作部の動作モードが選択される。その上で，画像データの量に基づいて，印刷部１０と読取部２０とのいずれを優先的に速い動作とするかが決定されるので，コピー処理全体としての速度を低下させないようにしつつ，静粛化を図ることができる。例えば，印刷前の画像データが多い場合，総騒音量が閾値を超えない範囲で印刷部１０を高速化する方が，メモリオーバーフロー等の読み取り側のエラーの抑制が期待できる。また，例えば，印刷前の画像データが少ない場合，総騒音量が閾値を超えない範囲で読取部２０を高速化する方が，間欠印刷等の印刷側のエラーの抑制が期待できる。一方で，いずれかの動作部を高速化すれば，総騒音量が上昇するので，他の動作部を低速化して動作音量を抑えることで，装置全体としての騒音量を抑えることができる。従って，総騒音量が予め決めた閾値を超えない範囲で，コピー処理の早期の終了が期待できる。
【００８４】
［ユーザ判別処理］
続いて，先行ジョブの終了前に後続ジョブの指示を受けた場合の例外処理であるユーザ判別処理について，図９のフローチャートを参照して説明する。つまり，ＭＦＰ１００は，先行ジョブの実行中に，並行して動作可能な後続ジョブを受け付けた際に，先行ジョブと後続ジョブとのユーザが同一である場合に限り，前述した静粛動作処理とは異なる処理を実行する。
【００８５】
このユーザ判別処理は，先に指示を受けた先行ジョブにて使用しない動作部の動作を含む後続ジョブを，先行ジョブの終了前に受けたことを契機に，ＣＰＵ３１にて実行される。例えば，ＰＣプリントを実行中のＭＦＰ１００においてコピー指示を受けた場合，または，スキャン処理を実行中にＰＣプリント指示を受けた場合が該当する。なお，同じ動作部を使用する複数の動作は，同時に実行することはできないため，指示を受け付けた順に処理する。また，ジョブを受け付けた時に，ＭＦＰ１００が動作していない場合は，本処理の対象外である。
【００８６】
本処理の実行を開始すると，ＭＦＰ１００は，後続ジョブを指示したユーザが，実行中の先行ジョブのユーザと同一であるか否かを判断する（Ｓ５０１）。ユーザが同一であるか否かの判断は，例えば，ＰＣプリントの指示を発行したユーザと，コピー実行のためにログインしたユーザとの，ユーザ情報の比較によって判断できる。コピー処理またはスキャン処理のユーザがログインしていない等の理由により，ユーザが同一か否かを判別できない場合は，同一ではないと判断するとよい。
【００８７】
そして，同一ユーザであると判断したら（Ｓ５０１：Ｙｅｓ），先行ジョブと後続ジョブとで，コピー動作のように並行処理を行っていると見なし，図７に示した静粛コピー処理を実行する（Ｓ５０２）。同一ユーザであれば，先行ジョブと後続ジョブとの両方が終了するまでが，そのユーザの待ち時間である。そこで，先行ジョブと後続ジョブとで優先順を予め決定せず，画像データ量に応じて，両方を動作モードの変更対象とする。これにより，総騒音量が閾値を超えない範囲で，先行ジョブと後続ジョブとの両方が終了するまでの所要時間の短縮が期待できる。
【００８８】
一方，同一ユーザではないと判断したら（Ｓ５０１：Ｎｏ），予め優先順を決定して，図５に示した静粛動作処理を実行する（Ｓ５０３）。すなわち，先行ジョブで使用している動作部の優先順は高く，後続ジョブのみで使用される動作部の優先順は低くして，各動作部の動作モードを決定する。例えば，先行ジョブの完了まで後続ジョブの実行が制限される。これにより，総騒音量が閾値を超えない範囲で，先行ジョブを優先的に終わらせる。
【００８９】
このユーザ判別処理によれば，総騒音量が予め決めた閾値を超えないように，ジョブのユーザを考慮して，各動作部の動作モードが選択される。つまり，先行ジョブと後続ジョブとのユーザが同一であれば，両方が早期に終了するように，動作モードが選択される。同一ユーザでなければ，先行ジョブが優先的に早期に終了するように，動作モードが選択される。
【００９０】
以上，詳細に説明したように，本形態のＭＦＰ１００の印刷部１０と読取部２０とファン６０とは，いずれも，動作音量の異なる２段階以上の動作モードを有する。各動作モードにおける各動作部の動作音量は，ＮＶＲＡＭ３４の動作音量表７０に記憶されている。そして，ＭＦＰ１００は，いずれかの動作部の動作モードの変更に際し，変更後の総騒音量を取得する。そして，総騒音量が閾値よりも小さくなるように，各動作部の動作モードを決定する。従って，動作の内容や動作モードが変更されても，総騒音量が閾値を超えることはなく，ＭＦＰ１００から発せられる騒音量を所定レベル以下に抑えることが期待できる。
【００９１】
なお，本実施の形態は単なる例示にすぎず，本発明を何ら限定するものではない。したがって本発明は当然に，その要旨を逸脱しない範囲内で種々の改良，変形が可能である。例えば，ＭＦＰに限らず，複写機，スキャナ，ＦＡＸ等，画像読取機能と画像形成機能とを備えるものであれば適用可能である。
【００９２】
また，例えば，図３の動作音量表７０に示した動作モードの数は，いずれも一例であって，より多くてもよいし，少なくてもよい。動作部毎に，動作中のモードと停止モードとの少なくとも２段階の動作モードがあればよい。また，４段階よりも多くの動作モードを有してもよい。例えば，印刷部１０の動作音量が，カラー印刷かモノクロ印刷か，また，片面印刷か両面印刷か，等の印刷設定によって異なるのであれば，別の動作モードとして区別してもよい。また，読取部２０の動作音量が，ＡＤＦ２４の駆動の有無によって異なるのであれば，別の動作モードとして区別してもよい。
【００９３】
また，動作音量表７０の各数値は，実験で測定した実測値に限らず，設計から想定される仮想値であってもよい。また，動作モードの変更可能な動作部以外でも，動作音を発する部材があれば，その動作音も合算して総騒音量としてもよい。つまり，総騒音量には，印刷部１０と読取部２０とファン６０等の動作による動作音以外の騒音をも含めてもよい。
【００９４】
また，前述した静粛動作処理では，第１動作部と第２動作部とを両方低速モードにしても，総騒音量が閾値より小さくならない場合に限り，第１動作部を停止モードにするとしたが，これに限らない。つまり，優先順の高い第２動作部の動作モードを維持したままで，優先順の低い第１動作部を停止モードをも含めて速度低下させてもよい。このようにすれば，静粛化を図りつつ，第２動作部の動作について，早期の終了が期待できる。
【００９５】
また，ファン６０の動作モードの変更は，中速モードから全速モードへの速度上昇に限らない。例えば，全速モードでの動作中に，機内温度が低下して，中速モードでの動作でも十分な程度となった場合は，全速モードから中速モードへ速度を低下させることもある。また，印刷終了後，機内温度が十分に低下すれば，ファン６０を停止することもできる。ファン６０の速度を低下させる場合も，動作モードの変更に該当する。
【００９６】
また，前述した静粛コピー処理では，画像データの量に基づいて，印刷部１０と読取部２０とのいずれを優先的に高速化するかを判断するとした。しかし，これに限らず，ＲＡＭ３３の記憶容量の残量に基づいて判断してもよい。
【００９７】
また，実施の形態に開示されている処理は，単一のＣＰＵ，複数のＣＰＵ，ＡＳＩＣなどのハードウェア，またはそれらの組み合わせで実行されてもよい。また，実施の形態に開示されている処理は，その処理を実行するためのプログラムを記録した記録媒体，または方法等の種々の態様で実現することができる。
【符号の説明】
【００９８】
１０  印刷部
２０  読取部
３１  ＣＰＵ
３３  ＲＡＭ
３４  ＮＶＲＡＭ
６０  ファン
７０  動作音量表
１００  ＭＦＰ
【図１】
2014221536.tif 000003
【図２】
2014221536.tif 000004
【図３】
2014221536.tif 000005
【図４】
2014221536.tif 000006
【図５】
2014221536.tif 000007
【図６】
2014221536.tif 000008
【図７】
2014221536.tif 000009
【図８】
2014221536.tif 000010
【図９】
2014221536.tif 000011